(57)【要約】　　　（修正有）【課題】雨が降る度に洗濯物を室内に取り込む必要がなく、全天候での物干しが可能になり、しかも、外観がよく見映えのするものになるばかりか、取付が簡単で、安価であり、カーテン摩耗時のカーテンの取り替えも可能である物干し装置を提供する。【解決手段】屋根を有する装置本体に設けられた左右のカーテン部を開いた状態で、装置本体内の物干し竿３１にハンガー２４を介して洗濯物２５を吊り下げることで洗濯物２５を干し、雨が降り出した際には、左右のカーテン部をカーテンレールに沿って引き出して、左右のカーテン部で物干しエリアＲを囲み洗濯物２５をカーテンの内方に閉じ込めて雨が洗濯物２５に当らないようにする。【選択図】　図３
2004105223.tif 000002
【特許請求の範囲】
【請求項１】
家屋の窓の外側に配置されて、内部に洗濯物を吊すようにした物干し装置であって、
前記窓の外側に配置されて物干しエリアを設定する固定枠部材と、
前記固定枠部材を支えるポールと、
前記固定枠部材に装着された屋根部材と、
前記固定枠部材に取り付けられて物干し部材を引っ掛ける掛け部材と、
前記固定枠部材の内面に配置されたカーテンレールと、
前記カーテンレールに走行可能に吊下されていて、前記掛け部材及び前記ポールの外方で前記物干しエリアを開閉可能に囲むカーテンとを備えたことを特徴とする物干し装置。
【請求項２】
前記屋根部材が透光性を有することを特徴とする請求項１に記載の物干し装置。
【請求項３】
前記カーテンは、両開きされる一方及び他方のカーテン部を有する分割型のカーテンであり、前記一方及び他方のカーテン部は、それぞれの端部でファスナーにより係脱可能に結合されるものであることを特徴とする請求項１又は請求項２に記載の物干し装置。
【発明の詳細な説明】
【０００１】
【発明の属する技術分野】
本発明は、全天候型の物干し装置に関するものである。
【０００２】
【従来の技術】
従来の全天候型の物干し装置としては、特開２０００−３５０８９９号公報及び特開２００１−３４０６９６号公報に開示された技術がある。
【０００３】
これらの公報におけるそれぞれの開示技術は、防水性の材料を使って、洗濯物干し用ハンガーに吊した洗濯物の上から全体を覆うようにして使用する洗濯物干し用カバーである。
【０００４】
すなわち、特開２０００−３５０８９９号公報における洗濯物干し用カバーは頂面部と周面部とを有するポリエチレン製等のカバー本体を有しており、このカバー本体の頂面部の中央に孔部を設けた構成であり、この洗濯物干し用カバーを、洗濯物干し用ハンガーに吊した洗濯物に被せるようにして覆い、洗濯物干し用ハンガーのフック部分を孔部より外部に出すようにして使用するものである。
【０００５】
また、特開２００１−３４０６９６号公報における洗濯物干し用カバーは頂面部と周面部とを有するポリエチレン製等のカバー本体を有しており、このカバー本体の頂面部の中央に孔部を設け、又は頂面部の中央部から周面部の下縁部にファスナーを設けた構成であり、この洗濯物干し用カバーを、洗濯物干し用ハンガーに吊した洗濯物に被せるようにして覆い、洗濯物干し用ハンガーのフック部分を孔部より外部に出すか、又はファスナーを閉じるようにして使用するものである。
【０００６】
【発明が解決しようとする課題】
しかしながら、上記した従来のいずれの洗濯物干し用カバーは、単に洗濯物干し用ハンガーに吊した洗濯物に被せるようにして覆うものであるために、雨が降る度に洗濯物干し用カバーで洗濯物を覆い、雨が止めば洗濯物干し用カバーを洗濯物から外す必要があって、この洗濯物干し用カバーの着脱作業が面倒であり、このために、実際には、この洗濯物干し用カバーは殆ど使用されておらず、雨が降る度に洗濯物を室内に取り込み、この室内に干しているのが現状である。洗濯物を室内に干していると梅雨時期にはなかなか乾かず、室内が湿っぽくなる。
【０００７】
また、毎日出る洗濯物を干せるほど、洗濯物干し用カバーを使用するとなると費用が高額になるという問題点があった。
【０００８】
本発明は、上記の問題点に着目して成されたものであって、その目的とするところは、雨が降る度に洗濯物を室内に取り込む必要がなく、全天候での物干しが可能になり、しかも、外観がよく見映えのするものになるばかりか、取付が簡単で、安価であり、カーテン摩耗時のカーテンの取り替えも可能である物干し装置を提供することにある。
【０００９】
【課題を解決するための手段】
上記の目的を達成するために、本発明に係る物干し装置は、家屋の窓の外側に配置されて、内部に洗濯物を吊すようにした物干し装置であって、窓の外側に配置されて物干しエリアを設定する固定枠部材と、固定枠部材を支えるポールと、固定枠部材に装着された屋根部材と、固定枠部材に取り付けられて物干し部材を引っ掛ける掛け部材と、固定枠部材の内面に配置されたカーテンレールと、カーテンレールに走行可能に吊下されていて、掛け部材及びポールの外方で物干しエリアを開閉可能に囲むカーテンとを備えたものである。
【００１０】
かかる構成により、カーテンを開いた状態で、物干し部材、例えば、物干し部材にハンガーを介して洗濯物を吊り下げることで、物干し装置に洗濯物を干す。雨が降り出した際には、カーテンをカーテンレールに沿って引き出して、カーテンで物干しエリアを囲み洗濯物をカーテンの内方に閉じ込めて雨が洗濯物に当たらないようにすることができる。
【００１１】
この場合、カーテンの内面側に左右のポールが位置して、これらのポールがカーテンを内側から支えるようになるために、カーテンが風に吹かれてバタバタするようなことが防止できる。
【００１２】
雨が降っている時だけでなく、カーテンを閉じた状態にすることにより、陽射しが強い日の洗濯物の日焼けの防止が可能であり、また、外部から洗濯物を直接見えなくすることができ、洗濯物の盗難等に対処することができる。
【００１３】
また、カーテンを閉じた状態にすることにより、部屋の畳、絨毯、家具等の日焼けが防止できるようになるし、さらに、部屋のカーテン、窓を開けていても、外部から直視されるようなことがなくなる。
【００１４】
上記したように物干し装置はテラス形式であるために、このテラスが有する機能を十分に果たし、雨が降る度に洗濯物を室内に取り込む必要がなく、全天候での物干しが可能になり、しかも、外観がよく見映えのするものになるばかりか、取付が簡単で、安価であり、カーテン摩耗時のカーテンの取り替えも可能である。
【００１５】
また、本発明に係る物干し装置は、上記した本発明に係る物干し装置において、屋根部材が透光性を有する。
【００１６】
かかる構成により、物干しエリアには屋根部材を透して光が入り明るさを保つことができる。
【００１７】
また、本発明に係る物干し装置は、上記した本発明に係る物干し装置において、カーテンは、両開きされる一方及び他方のカーテン部を有する分割型のカーテンであり、一方及び他方のカーテン部は、それぞれの端部でファスナーにより係脱可能に結合されるものである。
【００１８】
かかる構成により、雨が降り出した際には、一方及び他方のカーテン部をカーテンレールに沿って引き出して、一方及び他方のカーテン部を、それぞれの端部でファスナーにより結合して、洗濯物を一方及び他方のカーテン部内に閉じ込めて雨が洗濯物に当たらないようにすることができる。
【００１９】
この場合、カーテンの内面側に左右のポールが位置して、これらのポールが一方及び他方のカーテン部を内側から支えるようになるために、一方及び他方のカーテン部が風に吹かれてバタバタするようなことが防止できる。また、雨が止めば、一方及び他方のカーテン部を、それぞれ隅に寄せて開くようにすることができる。
【００２０】
【発明の実施の形態】
以下、本発明の実施の形態を図面に基づいて説明する。
【００２１】
図１は本発明に係る物干し装置においてカーテンを閉じた状態の斜視図、図２は同物干し装置においてカーテンを開いた状態の斜視図、図３は同物干し装置において洗濯物を干した状態の一部省略した斜視図、図４は同物干し装置における物干し部の正面図である。
【００２２】
本発明に係る物干し装置５０は、装置本体１と、この装置本体１内に設置された物干し部３０と、装置本体１の上方を覆う屋根部材３と、装置本体１の前面及び左、右側面を覆うカーテン装置４とで構成してある。
【００２３】
装置本体１は、家屋（図示せず）の窓８０の外側に配置されて物干しエリアＲを設定する固定枠部材２と、この固定枠部材２の前部に取り付けられた左右のポール１Ａ、１Ｂとから構成してある。
【００２４】
すなわち、固定枠部材２は、前面部２Ａと、この前面部２Ａの左右を直角に屈曲して形成された左、右側面部２Ｂ、２Ｃと、左、右側面部２Ｂ、２Ｃの後端上部間に横架固定された、アングル材からなる後部取付部材２Ｄとを有しており、前面部２Ａと左側面部２Ｂとが成す角部及び前面部２Ａと右側面部２Ｃとが成す角部とはそれぞれ円弧形状に形成してあって、これらの角部が柱取付部６、７に成されている。また、前面部２Ａと左、右側面部２Ｂ、２Ｃとの上縁部には取付部８が、また、左、右側面部２Ｂ、２Ｃの後端部には取付部９がそれぞれ形成してある。
【００２５】
左右のポール１Ａ、１Ｂは、図６及び図７に示すように、その上部が、ポール１Ａ、１Ｂの主部１０Ａに対して内側に偏位させてあり、これらの偏位部が枠固定部１０Ｂにしてある。そして、枠固定部１０Ｂにはそれぞれ取付ブラケット１１が取り付けてある。これらの取付ブラケット１１は、図７に示すように平面扇形状をしており、その端部の取付部１１Ａは円弧状に形成してある。また、左右のポール１Ａ、１Ｂの下端部には高さ調整部材１３Ａ、１３Ｂが取り付けてある。
【００２６】
そして、左のポール１Ａは、その取付ブラケット１１の円弧状の取付部１１Ａを、固定枠部材２の左の柱取付部６に当てた状態で、取付部１１Ａを柱取付部６に締着ボルト１２で固定して固定枠部材２に取り付けてあり、また、右のポール１Ｂは、その取付ブラケット１１の円弧状の取付部１１Ａを、固定枠部材２の右の柱取付部７に当てた状態で、取付部１１Ａを柱取付部７に締着ボルト１２で固定して固定枠部材２に取り付けてある。
【００２７】
また、物干し部３０は、図３及び図４に示すように左右の掛け部材１４Ａ、１４Ｂとこれらの左右の掛け部材１４Ａ、１４Ｂに引っ掛けられる物干し部材である物干し竿３１とで構成してある。左右の掛け部材１４Ａ、１４Ｂは、図８及び図９に示すように側面クランク形状に屈曲された部材本体１５を備えており、この部材本体１５の上部が取付部１６にしてあり、部材本体１５の下部にはＵ字形状の竿掛け部１７が形成してある。したがって、竿掛け部１７は取付部１６に対して屈曲段差分偏位している。
【００２８】
そして、左の掛け部材１４Ａは、その取付部１６で固定枠部材２の左側面部２Ｂの内面にねじ部材１８で取り付けてあり、また、右の掛け部材１４Ｂは、その取付部１６で固定枠部材２の右側面部２Ｃの内面にねじ部材１８で取り付けてあって、左右の掛け部材１４Ａ、１４Ｂは、それぞれの竿掛け部１７を対向させている。
【００２９】
そして、図４に示すように、左の掛け部材１４Ａの竿掛け部１７に物干し竿３１の左端部を、右の掛け部材１４Ｂの竿掛け部１７に物干し竿３１の右端部をそれぞれ引っ掛けることで、左右の掛け部材１４Ａ、１４Ｂに物干し竿３１が着脱可能に掛けてある。
【００３０】
また、屋根部材３は着色透明なポリカーボネート製の板材で構成してあって、透光性を有している。この屋根部材３は、その辺縁部を、図５に示すように固定枠部材２の前面部２Ａ及び左、右側面部２Ｂ、２Ｃの上縁部の取付部８、後部取付部材２Ｄにそれぞれリベット１９で取り付けてあって、装置本体１の上方を覆っている。
【００３１】
また、カーテン装置４は、カーテンレール２０と、このカーテンレール２０にスライダー２１を介して移動可能に取り付けられたカーテン２２とで構成してあり、このカーテン２２は、両開きされる左右（一方及び他方）のカーテン部２２Ａ、２２Ｂを有する分割型のカーテンである。
【００３２】
カーテンレール２０は、固定枠部材２の左側面部２Ｂの内面から前面部２Ａの内面を経て右側面部２Ｃの内面に水平に固着してある。左右のカーテン部２２Ａ、２２Ｂは、それぞれの前端部でファスナー２３により結合されるものであり、左（一方）のカーテン部２２Ａの前端部にはファスナー２３の左側部材２３ａが、右（他方）のカーテン部２２Ｂの前端部にはファスナー２３の右側部材２３ｂがそれぞれ取り付けてある。
【００３３】
上記のように構成された物干し装置５０は、図１、図２及び図１０に示すように、その固定枠部材２の左、右側面部２Ｂ、２Ｃの取付部９と後部取付部材２Ｄとでタッピングねじ２４により家屋の外壁６０に固定され、左右のカーテン部２２Ａ、２２Ｂは、それぞれの後端部が、家屋の左右の柱体７０にカーテン取付部材５Ａ、５Ｂにより固定される。
【００３４】
したがって、物干し装置５０は、家屋の窓８０の外方に設置されていて、家屋の部屋（図示せず）と物干し装置５０とは窓８０を開けることで行き来することができるものである。
【００３５】
次に、物干し装置Ａの使用について説明する。
【００３６】
図２及び図３に示すように、左右のカーテン部２２Ａ、２２Ｂを、それぞれ左右の柱体７０側に寄せて開いた状態で、物干し竿３１にハンガー２４を介して洗濯物２５を吊り下げる。この場合、屋根部材３は着色透明なポリカーボネート製の板材で構成してあるために明るさは保てる。
【００３７】
雨が降り出した際には、左右のカーテン部２２Ａ、２２Ｂを、それぞれのカーテンレール２０に沿って引き出して、左右のカーテン部２２Ａ、２２Ｂを、それぞれの前端部でファスナー２３により結合して、図１に示すように、洗濯物２５を左右のカーテン部２２Ａ、２２Ｂ内に閉じ込めて雨が洗濯物２５に当たらないようにする。
【００３８】
この場合、左右のカーテン部２２Ａ、２２Ｂの内面側に左右のポール１Ａ、１Ｂが位置して、これらのポール１Ａ、１Ｂが左右のカーテン部２２Ａ、２２Ｂを内側から支えるようになるために、左右のカーテン部２２Ａ、２２Ｂが風に吹かれてバタバタするようなことが防止できる。
【００３９】
また、雨が止めば、左右のカーテン部２２Ａ、２２Ｂを、それぞれ左右の柱体７０側に寄せて開くようにする。
【００４０】
雨が降っている時だけでなく、左右のカーテン部２２Ａ、２２Ｂを閉じた状態にすることにより、陽射しが強い日の洗濯物の日焼けの防止が可能であり、また、外部から洗濯物２５の直接見えなくすることができ、洗濯物２５の盗難等に対処することができる。
【００４１】
また、物干し装置５０を家屋の部屋の窓８０と隣接させて設置してあるために、左右のカーテン部２２Ａ、２２Ｂを閉じた状態にすることにより、部屋の畳、絨毯、家具等の日焼けが防止できるようになるし、さらに、部屋のカーテン、窓８０を開けていても、外部から直視されるようなことがなくなる。
【００４２】
【発明の効果】
以上説明したように、本発明に係る物干し装置によれば、カーテンを開いた状態で、物干し部材、例えば物干し竿にハンガーを介して洗濯物を吊り下げることで、物干し装置に洗濯物を干す。雨が降り出した際には、カーテンをカーテンレールに沿って引き出して、カーテンで物干しエリアを囲み洗濯物をカーテンの内方に閉じ込めて雨が洗濯物に当たらないようにする。
【００４３】
この場合、カーテンの内面側に左右のポールが位置して、これらのポールがカーテンを内側から支えるようになるために、カーテンが風に吹かれてバタバタするようなことが防止できる。
【００４４】
雨が降っている時だけでなく、カーテンを閉じた状態にすることにより、陽射しが強い日の洗濯物の日焼けの防止が可能であり、また、外部から洗濯物が直接見えなくすることができ、洗濯物の盗難等に対処することができる。
【００４５】
また、カーテンを閉じた状態にすることにより、部屋の畳、絨毯、家具等の日焼けが防止できるようになるし、さらに、部屋のカーテン、窓を開けていても、外部から直視されるようなことがなくなる。
【００４６】
上記したように物干し装置はテラス形式であるために、このテラスが有する機能を十分に果たし、雨が降る度に洗濯物を室内に取り込む必要がなく、全天候での物干しが可能になり、しかも、外観がよく見映えのするものになるばかりか、取付が簡単で、安価であり、カーテン摩耗時のカーテンの取り替えも可能である。
【００４７】
また、本発明に係る物干し装置によれば、屋根部材が透光性を有するために、物干しエリアには屋根部材を透して光が入り明るさを保つことができる。
【００４８】
また、本発明に係る物干し装置によれば、カーテンは、両開きされる一方及び他方のカーテン部を有する分割型のカーテンであり、一方及び他方のカーテン部は、それぞれの端部でファスナーにより係脱可能に結合されるものであるために、雨が降り出した際には、一方及び他方のカーテン部をカーテンレールに沿って引き出して、一方及び他方のカーテン部を、それぞれの端部でファスナーにより結合して、洗濯物を一方及び他方のカーテン部内に閉じ込めて雨が洗濯物に当たらないようにすることができる。
【００４９】
この場合、カーテンの内面側に左右のポールが位置して、これらのポールが一方及び他方のカーテン部を内側から支えるようになるために、一方及び他方のカーテン部が風に吹かれてバタバタするようなことが防止できる。また、雨が止めば、一方及び他方のカーテン部を、それぞれ隅に寄せて開くようにする。
【図面の簡単な説明】
【図１】本発明に係る物干し装置においてカーテンを閉じた状態の斜視図である。
【図２】同物干し装置においてカーテンを開いた状態の斜視図である。
【図３】同物干し装置において洗濯物を干した状態の一部省略した斜視図である。
【図４】同物干し装置における物干し部の正面図である。
【図５】図１のＡ−Ａ線に沿う断面図である。
【図６】図１のＢ−Ｂ線に沿う断面図である。
【図７】図６のＣ方向からの矢視図である。
【図８】図１のＤ−Ｄ線に沿う断面図である。
【図９】図８のＥ方向からの矢視図である。
【図１０】図１のＦ−Ｆ線に沿う断面図である。
【符号の説明】
１　　　装置本体
１Ａ　　ポール
１Ｂ　　ポール
２　　　固定枠部材
３　　　屋根部材
４　　　カーテン装置
５Ａ　　取付部材
５Ｂ　　取付部材
１４Ａ　掛け部材
１４Ｂ　掛け部材
１７　　竿掛け部
２０　　カーテンレール
２１　　スライダー
２２　　カーテン
２２Ａ　左のカーテン部（一方のカーテン部）
２２Ｂ　右のカーテン部（他方のカーテン部）
２３　　ファスナー
３０　　物干し部
３１　　物干し竿（物干し部材）
５０　　物干し装置
６０　　外壁
７０　　柱体
８０　　窓
Ｒ　　　物干しエリア
【図１】
2004105223.tif 000003
【図２】
2004105223.tif 000004
【図３】
2004105223.tif 000005
【図４】
2004105223.tif 000006
【図５】
2004105223.tif 000007
【図６】
2004105223.tif 000008
【図７】
2004105223.tif 000009
【図８】
2004105223.tif 000010
【図９】
2004105223.tif 000011
【図１０】
2004105223.tif 000012